(57)【要約】【課題】  非防水型の汎用の遠隔操作型テレビジョン受像機などのＡＶ装置を、浴室で使用することがてきるようにする。【解決手段】  浴室の壁２に箱体３を水密に取り付け、その箱体３に非防水型のテレビジョン受像機本体５を収納する。テレビジョン受像機本体５を遠隔制御するための非防水型のリモートコントローラ７を箱体３に取り付けてその手動操作部７１を箱体３の開口３４に臨ませる。手動操作部７１の操作と透視とが可能な透明膜８によって開口３４を水密に塞ぐ。テレビジョン受像機本体５を、リモートコントローラによって遠隔操作されるＣＤ、ＤＶＤその他のオーディオ装置本体に置き換えることも可能である。【選択図】        図２
2006157702.tif 000002
【特許請求の範囲】
【請求項１】
浴室の壁に水密に取り付けられる箱体に非防水型のテレビジョン受像機本体が収納され、そのテレビジョン受像機本体が、リモートコントローラによって遠隔制御されるようになっている遠隔操作型テレビジョン受像機において、
上記箱体の浴室に面する壁部の、上記テレビジョン受像機本体の画面に対面する箇所に、透明なパネルが水密状態に配設され、上記箱体に取り付けられた非防水型の上記リモートコントローラの手動操作部がその箱体の浴室に面する壁部に形成された開口に臨み、その手動操作部の操作と透視とが可能な透明膜によって上記開口が水密に塞がれていると共に、上記テレビジョン受像機本体の正面に遠隔制御信号の受信部が設けられているのに対し、上記リモートコンローラは、その遠隔制御信号の発信部が上記受信部を指向する姿勢で上記箱体に取り付けられていることを特徴とする遠隔操作型テレビジョン受像機。
【請求項２】
浴室の壁に水密に取り付けられる箱体にテレビジョン受像機などのＡＶ装置本体が収納され、そのＡＶ装置本体が、リモートコントローラによって遠隔制御されるようになっている遠隔操作型ＡＶ装置において、
上記箱体に取り付けられた上記リモートコントローラの手動操作部がその箱体の浴室に面する壁部に形成された開口に臨み、上記手動操作部の操作と透視とが可能なシートによって上記開口が水密に塞がれていることを特徴とする遠隔操作型ＡＶ装置。
【請求項３】
上記シートが透明膜である請求項２に記載した遠隔操作型ＡＶ装置。
【請求項４】
上記リモートコントローラが非防水型である請求項２又は請求項３に記載した遠隔操作型ＡＶ装置。
【請求項５】
上記箱体の浴室に面する壁部の、上記ＡＶ装置本体の正面に対面する箇所に、透明なパネルが水密状態に配設されている請求項２ないし請求項４のいずれか１項に記載した遠隔操作型ＡＶ装置。
【発明の詳細な説明】
【技術分野】
【０００１】
本発明は、住宅の居住区で汎用的に使用されている遠隔操作型テレビジョン受像機又は同受像機や同オーディオ機器などの遠隔操作型ＡＶ装置（遠隔操作型オーディオビジュアル装置）を、浴室に設置することができるような対策を講じた遠隔操作型テレビジョン受像機及び遠隔操作型ＡＶ装置に関する。
【背景技術】
【０００２】
住宅のリビングなどの居住区で汎用的に使用されているテレビジョン受像機は、リモートコントローラの手動操作部を操作することによって電源の入切、チャンネル切換え、音量設定などの各種操作を行うことができるようになっている。このような遠隔操作型テレビジョン受像機は、テレビジョン受像機本体とリモートコントローラとによってテレビジョン受像機の１セットが構成されている。
【０００３】
一方、近年では、浴室の快適性を向上させたり浴室での身体のリラックス法の１つとして浴室にテレビジョン受像機を設置し、入浴中にテレビジョン放送を楽しみたいという要求がある。
【０００４】
しかしながら、上記したような居住区で汎用的に使用されているテレビジョン受像機のテレビジョン受像機本体やリモートコントローラは非防水型であって、湿気の多い環境での使用には向いていないので、それらのテレビジョン受像機本体やリモートコントローラをただ単に浴室に設置するということはできない。
【０００５】
そこで、従来より、浴室内テレビ装置や浴室用テレビケース装置などが提案されている（特許文献１、特許文献２参照）。
【０００６】
特許文献１には浴室内テレビ装置についての記述があり、それによると、前面をガラス面としたテレビ収納ボックスにテレビを内蔵してその収納ボックスを浴室の壁に取り付けることによって入浴中に浴室内からテレビの画面を見ることができるようにしてある。また、発光ダイオードを持ったリモコン基盤を収納ボックスに内装し、リモコン基盤のスイッチを収納ボックスの前面に位置させてある。
【０００７】
これに対し、特許文献２には浴室用テレビケースについての記述がある。このテレビケースは浴室の壁面に埋設されるものであって、そのテレビケースにテレビを収納する一方で、壁付け操作部を浴室の壁に設置し、その壁付け操作部を使用者が操作することにより出力された操作信号が上記テレビケース内に設けたリモコン信号発信部に電線を介して伝達され、そのリモコン信号発信部でワイヤレスリモコン信号に変換されてテレビのリモコン信号受信部によって受信されるようになっている。
【特許文献１】実開平６−３５５２６号公報
【特許文献２】特開２００１−３２７４２８号公報
【発明の開示】
【発明が解決しようとする課題】
【０００８】
しかしながら、特許文献１によって提案されている浴室内テレビ装置は、テレビを遠隔制御するためのリモートコントロール手段が、発光ダイオードを持ったリモコン基盤を収納ボックスに内装してそのリモコン基盤のスイッチを収納ボックスの前面に位置させたものであることから、このリモートコントロール手段は、冒頭で説明した汎用的なリモートコントローラではなく、浴室内テレビ装置に専用のものとして特別に収納ボックスと一体に組み立てられているものである。したがって、この特許文献１の技術を適用しただけでは、住宅の居住区で汎用的に使用されているテレビジョン受像機を構成している非防水型のテレビジョン受像機のテレビジョン受像機本体や非防水型のリモートコントローラ、特に非防水型のリモートコントローラを浴室での使用に適合させることはできない。
【０００９】
また、特許文献２に記載されているように、浴室用テレビケースにテレビを収納する一方で、壁付け操作部を浴室の壁に設置したものでは、壁付け操作部が浴室の湿気や水分に直接に曝され、また、その壁付け操作部をテレビケース内のリモコン信号受信部に接続している電線も浴室の湿気や水分に直接に曝されるために、それらの壁付け操作部や電線を防水型にしておくことが不可欠である。したがって、この特許文献２の技術を適用しても、住宅の居住区で汎用的に使用されているテレビジョン受像機を構成している非防水型のテレビジョン受像機のテレビジョン受像機本体や非防水型のリモートコントローラ、特に非防水型のリモートコントローラを浴室での使用に適合させることはできない。
【００１０】
本発明は以上の状況の下でなされたものであり、住宅の居住区で汎用的に使用されているテレビジョン受像機を構成している非防水型のテレビジョン受像機のテレビジョン受像機本体や非防水型のリモートコントローラをそのまま湿気や水分の多い浴室での使用に適合させることが可能になる遠隔操作型テレビジョン受像機を提供することを目的としている。
【００１１】
同様に、本発明は、従来より住宅の居住区で汎用されている遠隔操作型ＡＶ装置、たとえばＣＤ装置やＤＶＤ装置、オーディオ装置などをそのまま湿気や水分の多い浴室での使用に適合させることが可能になる遠隔操作型ＡＶ装置を提供することを目的としている。
【課題を解決するための手段】
【００１２】
本発明に係る遠隔操作型テレビジョン受像機は、浴室の壁に水密に取り付けられる箱体に非防水型のテレビジョン受像機本体が収納され、そのテレビジョン受像機本体が、リモートコントローラによって遠隔制御されるようになっている。
【００１３】
そして、上記箱体の浴室に面する壁部の、上記テレビジョン受像機本体の画面に対面する箇所に、透明なパネルが水密状態に配設され、上記箱体に取り付けられた非防水型の上記リモートコントローラの手動操作部がその箱体の浴室に面する壁部に形成された開口に臨み、その手動操作部の操作と透視とが可能な透明膜によって上記開口が水密に塞がれていると共に、上記テレビジョン受像機本体の正面に遠隔制御信号の受信部が設けられているのに対し、上記リモートコンローラは、その遠隔制御信号の発信部が上記受信部を指向する姿勢で上記箱体に取り付けられている。
【００１４】
この構成を備えた遠隔操作型テレビジョン受像機によれば、テレビジョン受像機本体とリモートコントローラとの両方が非防水型であるとしても、それらが透明なパネルや透明膜が水密に取り付けられた箱体に収容され、しかも、その箱体が浴室の壁に水密に取り付けられているので、非防水型のテレビジョン受像機本体及びリモートコントローラを、それら自体に防水対策を講じることなく使用することが可能になる。したがって、従来より住宅の居住区で汎用されているテレビジョン受像機を構成しているテレビジョン受像機本体及びリモートコントローラを、そのまま浴室での使用に適合させることが可能になる。また、ユーザは、入浴中に透明なパネルを透してテレビジョン受像機の画面を見てリラックスすることができることは勿論、そのパネルとリモートコントローラとが共に浴室に面する箱体の壁部に取り付けられているので、ユーザは、テレビジョン受像機の画面を見ながらリモートコントローラの操作部を透明膜の上から操作することができるという利便もある。
【００１５】
本発明に係る遠隔操作型ＡＶ装置は、浴室の壁に水密に取り付けられる箱体にテレビジョン受像機などのＡＶ装置本体が収納され、そのＡＶ装置本体が、リモートコントローラによって遠隔制御されるようになっている。そして、上記箱体に取り付けられた上記リモートコントローラの手動操作部がその箱体の浴室に面する壁部に形成された開口に臨み、上記手動操作部の操作と透視とが可能なシートによって上記開口が水密に塞がれている。この発明において、上記シートには透明膜を使用することが可能であり、また、リモートコントローラには非防水型のものを使用することが可能であま。さらに、上記箱体の浴室に面する壁部の、上記ＡＶ装置本体の正面に対面する箇所に、透明なパネルが水密状態に配設されていることが望ましい。
【００１６】
この構成の遠隔操作型ＡＶ装置において、ＡＶ装置本体とリモートコントローラとの両方が非防水型であるとしても、それらが浴室の壁に水密に取り付けられた箱体に収容されていることにより、それら自体に防水対策を講じることなく使用することが可能になる。したがって、従来より住宅の居住区で汎用されている遠隔操作型ＡＶ装置を構成しているＡＶ装置本体及びリモートコントローラを、そのまま浴室での使用に適合させることが可能になる。また、ユーザは、透明膜の上からリモートコントローラを操作してＡＶ装置本体を遠隔制御することが可能である。
【発明の効果】
【００１７】
以上のように、本発明に係る遠隔操作型テレビジョン受像機は、住宅の居住区で汎用的に使用されているテレビジョン受像機を構成している非防水型のテレビジョン受像機のテレビジョン受像機本体や非防水型のリモートコントローラをそのまま用いたものでありながら、湿気や水分の多い浴室でのそれらの使用を可能にするものである。したがって、特別に防水型のリモートコントローラを用いることなく、入浴中にテレビジョン放送を楽しんで身体をリラックスさせることが可能になる。
【００１８】
また、本発明に係る遠隔操作型ＡＶ装置も同様に、住宅の居住区で汎用的に使用されているＡＶ装置本体やリモートコントローラをそのまま用いたものでありながら、湿気や水分の多い浴室でのそれらの使用を可能にするものである。したがって、特別に防水型のリモートコントローラを用いることなく、入浴中にＣＤ、ＤＶＤなどのオーディオ／ビジュアル番組などを楽しで身体をリラックスさせることが可能になる。
【００１９】
特に、本発明に係る遠隔操作型テレビジョン受像機や遠隔操作型ＡＶ装置では、従来より住宅の居住区で使用されている汎用のリモートコントローラの手動操作部を、箱体の浴室に面する壁部に形成された開口に臨ませ、その手動操作部の操作と透視とが可能なシート（透明膜）によって上記開口を水密に塞いでいるので、入浴中のユーザが濡れた手でシートの上からリモートコンローラの手動操作部を操作してテレビジョン受像機本体やＡＶ装置本体のモード切換えなどを行うことができるという長所がある。そのため、リモートコンローラ自体に直接に防水対策を講じる必要がなくなって価格も安く抑えることが可能になる。
【発明を実施するための最良の形態】
【００２０】
図１は本発明の実施形態に係る遠隔操作型ＡＶ装置としての遠隔操作型テレビジョン受像機が設置された浴室の概略説明図、図２は同テレビジョン受像機の設置箇所の縦断面図、図３はリモートコンローラ７と透明膜８とを示した分解斜視図、図４はリモートコンローラ７の取付構造の概略断面図、図５は同テレビジョン受像機本体５とリモートコンローラ７との位置関係を示した説明図である。
【００２１】
図１において、１は浴室に設置されている浴槽、２は浴室に面している壁をそれぞれ示している。図２のように、壁２には中空直方体形状に形作られた箱体３が水密材２１を介して水密に取り付けられていると共に、その箱体３は、壁２に設けられた支持台２２上に配備され、その前側の壁部３１が壁２の表面と略面一になるように配備されることによってその壁部３１が浴室に面している。
【００２２】
図１又は図２のように、箱体３の浴室に面する前側の壁部３１には開口窓３２が形成されていて、その開口窓３２にガラスや樹脂板でなる透明なパネル３３が水密状態に配設されている。このパネル３３は上記壁部３１の一部を形成しているものである。そして、箱体３に収容されているテレビジョン受像機本体５の画面５１にそのパネル３３が対面している。したがって、ユーザは入浴しながらパネル３３を透してテレビジョン受像機本体５の画面５１に映し出されたテレビジョン放送を見て身体をリラックスさせることが可能である。
【００２３】
図４のように、上記パネル３３はその一部を切り取ることによって形成された矩形の開口３４を有している。また、パネル３３には、リモートコンローラ７を保持しているコントローラ取付枠８１が図示していない取付具（支持金具やビスなど）を介して取り付けられて、リモートコンローラ７の手動操作部７１が開口３４に臨んでいる。また、開口３４は、透明なシート、たとえば透明なメンブレンなどの柔軟な透明膜８によって水密に塞がれている。具体的には、コントローラ取付枠８に被せた透明膜８の周縁部をそのコントローラ取付枠８の前端部に重ね合わせ、かつ、その透明膜８の周縁部と開口３４の周縁との間に水密材８２を充填することによって透明膜８の取付箇所の水密性を確保している。したがって、ユーザは、入浴中に、リモートコンローラ７の手動操作部７１を形成している押しボタンなどを透明膜８を透して目で見て所定の操作を行うことができ、その操作により、図５のように、リモートコンローラ７の発信部７２から出た遠隔制御信号がテレビジョン受像機本体５の正面に設けられている受信部５２に受信されてテレビジョン受像機本体５が制御される。この実施形態では、図５に示したように、テレビジョン受像機本体５の近くでその片側にリモートコンローラ７を設置し、しかも、リモートコンローラ７の発信部７２がテレビジョン受像機本体５の受信部５２を指向する横起き姿勢で取り付けられている。そのために、発信部７２から出た遠隔制御信号が確実に受信部５２に到達し、テレビジョン受像機本体５の電源の入切、チャンネル切換え、音量調整などの操作が確実に行われる。
【００２４】
図３のように、リモートコンローラ７は、外ケース７の前端に発信部７２を備えていると共に、その外ケース７の表面側に多数の押しボタンなどの集合でなる手動操作部７１が備わっている。また、透明膜８は、リモートコンローラ７の手動操作部７１の操作と透視とが可能な薄いシートでなる。
【００２５】
さらに、この実施形態では、テレビジョン受像機本体５の背面に備わっている外部スピーカ用端子（不図示）から引き出したリード線５３を、上記壁部３１の裏面に取り付けたスピーカ５４に接続してある。こうしておくと、音声がスピーカ５４から浴室内に向けて出力されるために、ユーザは、入浴中にテレビジョン受像機本体５の画面に映し出される画像とスピーカ５４から出る音声とを同時に楽しむことができる。
【００２６】
この実施形態に係る遠隔操作型ＡＶ装置では、ＡＶ装置本体の一例としてのテレビジョン受像機本体５とリモートコントローラ７との両方に、従来より住宅の居住区で使用されている汎用のテレビジョン受像機を構成しているテレビジョン受像機本体５やリモートコンローラ７が防水対策を講じることなくそのまま使用されている。それにもかかわらず、それらが透明なパネル３３や透明膜８が水密に取り付けられた箱体３に収容され、しかも、その箱体３が浴室の壁２に水密に取り付けられているので、非防水型のテレビジョン受像機本体５及びリモートコントローラ７が浴室の湿気や水分に曝されて動作不良を生じたりすることがなく、また、ユーザが濡れた手でリモートコンロー７の手動操作部７１を操作しても感電その他の事故を起こすおそれもない。また、浴室内には、テレビジョン受像機の関連部品が設置されていないので、浴室の湿気や水分によってその関連部品の耐用性が損なわれるという事態も起こり得ない。
【００２７】
したがって、従来より住宅の居住区で汎用されているテレビジョン受像機を構成しているテレビジョン受像機本体５及びリモートコントローラ７を、浴室用テレビジョン受像機として使用することが可能になる。また、ユーザは、入浴中に透明なパネル３３を透してテレビジョン受像機本体５の画面５１を見てリラックスすることができることは勿論、そのパネル３３とリモートコントローラ７とが共に浴室に面する箱体３の壁部３１に取り付けられているので、ユーザは、テレビジョン受像機本体５の画面５１を見ながらリモートコントローラ７の手動操作部７１を透明膜８の上から操作することができるという利便もある。
【００２８】
この実施形態では、ＡＶ装置本体の一例としてテレビジョン受像機本体５を採用したものを説明したけれども、他のＡＶ装置本体、たとえばＣＤやＤＶＤ、その他のオーディオ機器をテレビジョン受像機本体５に置き換えることも可能である。その場合、音楽ＣＤのように映像を伴わないＡＶ装置では、透明なパネル３３を設ける必要は必ずしもない。
【００２９】
また、図示していないけれども、箱体３の背壁や側壁などに開閉扉を設置しておくと、その開閉扉を開けてテレビジョン受像機本体５やリモートコントローラ７のメンテナンスや交換を行うことが可能になる。また、箱体３の背壁や側壁などに通気孔を形成しておくと、箱体３の内部が自然換気されてその温度上昇が抑制されるという利点がある。
【図面の簡単な説明】
【００３０】
【図１】本発明の実施形態に係る遠隔操作型ＡＶ装置としての遠隔操作型テレビジョン受像機が設置された浴室の概略説明図である。
【図２】同テレビジョン受像機の設置箇所の縦断面図である。
【図３】リモートコンローラと透明膜とを示した分解斜視図である。
【図４】リモートコンローラの取付構造の概略断面図である。
【図５】同テレビジョン受像機本体とリモートコンローラとの位置関係を示した説明図である。
【符号の説明】
【００３１】
２  浴室の壁
３  箱体
５  テレビジョン受像機本体（ＡＶ装置本体）
７  リモートコントローラ
８  透明膜
３１  箱体の浴室に面する壁部
３３  パネル
３４  開口
５１  テレビジョン受像機本体の画面
５２  受信部
７１  リモートコントローラの手動操作部
７２  発信部
【図１】
2006157702.tif 000003
【図２】
2006157702.tif 000004
【図３】
2006157702.tif 000005
【図４】
2006157702.tif 000006
【図５】
2006157702.tif 000007